(57)【特許請求の範囲】
【請求項１】
中央部に天面形成部１、該天面形成部１の両側に正面形成部２及び背面形成部３が配され、
上記天面形成部１、上記正面形成部２及び上記背面形成部３それぞれの同一側縁側に、第１側面形成部４１，第２側面形成部４２及び第３側面形成部４３、他方の側縁側に、第４側面形成部４４，第５側面形成部４５及び第６側面形成部４６が配され、
上記第１側面形成部４１，上記天面形成部１及び上記第４側面形成部４４と、上記第２側面形成部４２，上記正面形成部２及び上記第５側面形成部４５との間に第１起立周縁形成部５１が配され、上記第１側面形成部４１，上記天面形成部１及び上記第４側面形成部４４と、上記第３側面形成部４３，上記背面形成部３及び上記第６側面形成部４６との間に第２起立周縁形成部５２が配され、
上記第２側面形成部４２，上記正面形成部２及び上記第５側面形成部４５、並びに上記第３側面形成部４３，上記背面形成部３及び上記第６側面形成部４６の外側に、第１底面形成部６１及び第２底面形成部６２が配された一枚の長方形状のシートが用いられ、
上記第１起立周縁形成部５１及び第２起立周縁形成部５２それぞれの側縁部同士が上記シートの裏面同士を当接させてシールされ、
上記第２側面形成部４２の外側縁部と上記第３側面形成部４３の外側縁部とがシールされ、また、上記第５側面形成部４５の外側縁部と上記第６側面形成部４６の外側縁部とがシールされ、且つ上記第１側面形成部４１，上記天面形成部１及び上記第４側面形成部４４がガゼット折りされるように、上記シートの長手方向の両側縁部が全長に亘ってシールされて一対のサイドシール部７，７が形成され、
開放された状態の底部から圧縮状態の被包装物を充填した後に底面部が形成された、天面部Ｕ、正面部Ｆ、背面部、第１側面部Ｓ、第２側面部Ｓ’及び底面部からなる六面体形状の包装用袋において、
上記第１側面部Ｓにおける、上記天面部Ｕの隅部Ｐ１，Ｐ２を結ぶ辺を底辺とし、頂角が直角の二等辺三角形状部の内側において、上記第１側面形成部４１と上記第２側面形成部４２、上記第１側面形成部４１と上記第３側面形成部４３とが、等辺に沿ってそれぞれシートの裏面を当接させてシールされており、
該シールによる一対のシール部８，８それぞれは、上記サイドシール部７側の端部８ａが該サイドシール部７から離れており、且つ該シール部８，８それぞれにおける上記サイドシール部７側の端部８ａから５〜５０ｍｍの部分が、徐々に該サイドシール部７に対して直角に近づく曲線とされており、
上記各シール部８の上記サイドシール部７側の端部８ａと、該サイドシール部７との間の距離が１〜２０ｍｍであり、
上記各シール部８の上記サイドシール部７側の端部とは反対側の端部８ｂが、上記第１及び第２起立周縁形成部の側縁部同士をシールして形成された周縁シール部９から離れており、
上記第２側面部Ｓ’においても、上記第１側面部Ｓにおける一対のシール部８，８と全く同様に一対のシール部８，８が形成されており、
吊手部１１を有し、吊手部形成用の部材が上記各シール部８に固定されていないことを特徴とする包装用袋。
【請求項２】
上記第１及び第２起立周縁形成部により形成された起立周縁部に帯状フィルムが熱融着されて一対の吊手部が形成されていることを特徴とする請求項１に記載の包装用袋。
【発明の詳細な説明】
【０００１】
【発明の属する技術分野】
本発明は、包装用袋に関し、より詳しくは、側面部にひきつりが生じず、且つ引張り応力によるサイドシール部の剥離が生じ難い包装用袋に関するものである。
【０００２】
【従来の技術及び発明が解決しようとする課題】
一般に、紙オムツ、生理用品等は、複数個が多数重ねられて圧縮され、圧縮状態で包装用袋に収納されて搬送・販売等される。圧縮物品の包装用袋として、シートの各部を熱融着して六面体形状とした熱可塑性合成樹脂製の包装用袋が知られている。しかし、このような包装用袋においては、圧縮状態で充填された収容物の復元反発力により、サイドシール部に引張り力が作用し、これにより該サイドシール部から剥離し易いという問題がある。
かかる不都合を防止するために、包装用袋の両側面部にそれぞれ一対のシール部を逆ハ字状に設け、このシール部に引張り力を負担させるようにした包装用袋が特開平９−１４２４８３号公報に提案されている。
【０００３】
しかし、特開平９−１４２４８３号公報に記載の包装用袋は、包装用袋の側面部に、天面部の隅部を結ぶ辺を底辺とし、頂角が直角の二等辺三角形状部を想定した場合に、該二等辺三角形状部の外側に上記シール部が設けたものであり、そのため、該シール部が応力を受けすぎて、側面部がひきつってしまい、包装用袋の外観が好ましいものでなくなるという問題があった。
【０００４】
従って、本発明の目的は、側面部にひきつりが生じず、且つ引張り応力によるサイドシール部の剥離が生じ難い包装用袋を提供することにある。
【０００５】
【課題を解決するための手段】
本発明は、中央部に天面形成部１、該天面形成部１の両側に正面形成部２及び背面形成部３が配され、上記天面形成部１、上記正面形成部２及び上記背面形成部３それぞれの同一側縁側に、第１側面形成部４１，第２側面形成部４２及び第３側面形成部４３、他方の側縁側に、第４側面形成部４４，第５側面形成部４５及び第６側面形成部４６が配され、上記第１側面形成部４１，上記天面形成部１及び上記第４側面形成部４４と、上記第２側面形成部４２，上記正面形成部２及び上記第５側面形成部４５との間に第１起立周縁形成部５１が配され、上記第１側面形成部４１，上記天面形成部１及び上記第４側面形成部４４と、上記第３側面形成部４３，上記背面形成部３及び上記第６側面形成部４６との間に第２起立周縁形成部５２が配され、上記第２側面形成部４２，上記正面形成部２及び上記第５側面形成部４５、並びに上記第３側面形成部４３，上記背面形成部３及び上記第６側面形成部４６の外側に、第１底面形成部６１及び第２底面形成部６２が配された一枚の長方形状のシートが用いられ、
上記第１起立周縁形成部５１及び第２起立周縁形成部５２それぞれの側縁部同士が上記シートの裏面同士を当接させてシールされ、上記第２側面形成部４２の外側縁部と上記第３側面形成部４３の外側縁部とがシールされ、また、上記第５側面形成部４５の外側縁部と上記第６側面形成部４６の外側縁部とがシールされ、且つ上記第１側面形成部４１，上記天面形成部１及び上記第４側面形成部４４がガゼット折りされるように、上記シートの長手方向の両側縁部が全長に亘ってシールされて一対のサイドシール部７，７が形成され、
開放された状態の底部から圧縮状態の被包装物を充填した後に底面部が形成された、天面部Ｕ、正面部Ｆ、背面部、第１側面部Ｓ、第２側面部Ｓ’及び底面部からなる六面体形状の包装用袋において、
上記第１側面部Ｓにおける、上記天面部Ｕの隅部Ｐ１，Ｐ２を結ぶ辺を底辺とし、頂角が直角の二等辺三角形状部の内側において、上記第１側面形成部４１と上記第２側面形成部４２、上記第１側面形成部４１と上記第３側面形成部４３とが、等辺に沿ってそれぞれシートの裏面を当接させてシールされており、該シールによる一対のシール部８，８それぞれは、上記サイドシール部７側の端部８ａが該サイドシール部７から離れており、且つ該シール部８，８それぞれにおける上記サイドシール部７側の端部８ａから５〜５０ｍｍの部分が、徐々に該サイドシール部７に対して直角に近づく曲線とされており、上記各シール部８の上記サイドシール部７側の端部８ａと、該サイドシール部７との間の距離が１〜２０ｍｍであり、上記各シール部８の上記サイドシール部７側の端部とは反対側の端部８ｂが、上記第１及び第２起立周縁形成部の側縁部同士をシールして形成された周縁シール部９から離れており、上記第２側面部Ｓ’においても、上記第１側面部Ｓにおける一対のシール部８，８と全く同様に一対のシール部８，８が形成されており、吊手部１１を有し、吊手部形成用の部材が上記各シール部８に固定されていないことを特徴とする包装用袋を提供することにより、上記の目的を達成したものである。
【０００７】
【発明の実施の形態】
以下、本発明の包装用袋の一実施形態について図面を参照して説明する。ここで、図１は本形態の包装用袋を製造するためのシートを示す平面図であり、図２は本形態の包装用袋の製造過程における断面を一部省略して示す図であり、図３は本形態の包装用袋を一部省略して示す正面図であり、図４は本形態の包装用袋を示す概略斜視図であり、図５は本形態の包装用袋の要部を示す側面図である。
【０００８】
本形態の包装用袋は、図１に示すように、中央部に天面形成部１、該天面形成部１の両側に正面形成部２及び背面形成部３が配され、上記天面形成部１、上記正面形成部２及び上記背面形成部３それぞれの同一側縁側に、第１側面形成部４１，第２側面形成部４２及び第３側面形成部４３、他方の他側縁側に、第４側面形成部４４，第５側面形成部４５及び第６側面形成部４６が配され、上記第１側面形成部４１，上記天面形成部１及び上記第４側面形成部４４と、上記第２側面形成部４２，上記正面形成部２及び上記第５側面形成部４５との間に第１起立周縁形成部５１が配され、上記第１側面形成部４１，上記天面形成部１及び上記第４側面形成部４４と、上記第３側面形成部４３，上記背面形成部３及び上記第６側面形成部４６との間に第２起立周縁形成部５２が配され、上記第２側面形成部４２，上記正面形成部２及び上記第５側面形成部４５、並びに上記第３側面形成部４３，上記背面形成部３及び上記第６側面形成部４６の外側に、第１底面形成部６１及び第２底面形成部６２が配された一枚の長方形状のシート１０が用いられ、
図２に示すように、上記第１起立周縁形成部５１及び第２起立周縁形成部５２それぞれの側縁部５１ｂ，５１ｂ，５２ｂ，５２ｂ同士が上記シートの裏面同士を当接させてシールされ、
図３に示すように、上記第２側面形成部４２の外側縁部と上記第３側面形成部４３の外側縁部とがシールされ、また、上記第５側面形成部４５の外側縁部と上記第６側面形成部４６の外側縁部とがシールされ、且つ上記第１側面形成部４１，上記天面形成部１及び上記第４側面形成部４４がガゼット折りされるように、上記シートの長手方向の両側縁部が全長に亘ってシールされて一対のサイドシール部７，７が形成され、
図４に示すように、開放された状態の底部から被包装物を充填した後に底面部が形成された、天面部Ｕ、正面部Ｆ、背面部（図示せず）、第１側面部Ｓ、第２側面部Ｓ’及び底面部（図示せず）からなる六面体形状の包装用袋である。
【０００９】
そして、図４及び図５に示すように、上記第１側面部Ｓにおける、上記天面部Ｕの隅部Ｐ１，Ｐ２を結ぶ辺を底辺とし、頂角Ｔが直角の二等辺三角形状部の内側において、上記第１側面形成部４１（図示せず）と上記第２側面形成部４２、上記第１側面形成部４１と上記第３側面形成部４３とが、等辺に沿ってそれぞれシートの裏面を当接させてシールされており、該シールによる一対のシール部８，８それぞれは、上記サイドシール部７側の端部８ａ，８ａが該サイドシール部７から離れており、且つ該シール部８，８それぞれにおける上記サイドシール部７側の端部８ａ，８ａから５〜５０ｍｍの部分８Ａ，８Ａが、徐々に該サイドシール部７に対して直角に近づく曲線とされており、上記第２側面部Ｓ’においても、上記第１側面部Ｓにおける一対のシール部８，８と全く同様に一対のシール部８，８が形成されている。
【００１０】
以下、本形態の包装用袋について更に詳細に説明する。
本形態の包装用袋は、図１に示される一枚の長方形状のシート１０から形成される。該シート１０は、該シートと同幅の長尺状シートを所定の間隔で切断したもので、ヒートシールにより接合可能な熱可塑性樹脂製、好ましくは、ポリエチレン等のポリオレフィン製である。
上記シート１０には、図１に示すように、天面形成部１、正面形成部２、背面形成部３、第１〜第６側面形成部４１〜４６、第１・第２起立周縁形成部５１，５２、及び第１・第２底面形成部６１，６２が配されている。これらは、包装用袋に組み立てた際に該包装用袋どの部分を構成するかを示すものである。
【００１１】
本形態の包装用袋は、上記シート１０から次のように製造される。先ず、図２に示すように、第１起立周縁形成部５１及び第２起立周縁形成部５２それぞれが、それぞれの幅方向中央部５１ａ，５２ａで山折りされ、それぞれの側縁部５１ｂ，５１ｂ同士、５２ｂ，５２ｂ同士が当接されて該当接部においてシール（熱融着）される。このシールによるシール部９（以下、周縁シール部という）は、シートを包装用袋に組み立てた際に、図４に示すように天面部Ｕの周囲に配され、該天面部の周囲に起立周縁部Ｋを形成する。
【００１２】
次に、上記シート１０の長手方向の両側縁部が全長に亘ってシールされる。上記第１側面形成部４１，上記天面形成部１及び上記第４側面形成部４４は、図２に示すように、上記第２側面形成部４２，上記正面形成部２及び上記第５側面形成部４５と、上記第３側面形成部４３，上記背面形成部３及び上記第６側面形成部４６との間に谷折りして折り込まれ、その状態で、図３に示すように、上記第２側面形成部４２の外側縁部と上記第３側面形成部４３の外側縁部との間、及び上記第５側面形成部４５の外側縁部と上記第６側面形成部４６の外側縁部との間がそれぞれシールされる。このシールにより、包装用袋の両側面中央部に、上下に亘る長さのサイドシール部７，７が形成される。
【００１３】
また、図３に示すように、上記第１側面形成部４１と上記第２側面形成部４２、上記第１側面形成部４１と上記第３側面形成部４３、上記第４側面形成部４４と上記第５側面形成部４５、上記第４側面形成部４４と上記第６側面形成部４６とが、シートの裏面を当接させてそれぞれシールされ、四つのシール部８，８・・が形成される。尚、図３には、第１側面形成部４１と上記第２側面形成部４２とのシール部８、及び上記第４側面形成部４４と上記第５側面形成部４５とのシール部８のみが示されている。
【００１４】
そして、開放された底部から、圧縮可能な物品である使い捨ておむつが整列され圧縮された状態で充填される。具体的には、該包装用袋の側面部Ｓ，Ｓ’同士間で挟圧される向きに充填される。このように圧縮物品を充填した後、底面部が形成される。
このようにして、上記シート１０から、天面部Ｕ、正面部Ｆ、背面部、第１側面部Ｓ、第２側面部Ｓ’及び底面部からなる六面体形状の包装用袋が得られる。
【００１５】
本形態の包装用袋における上記天面部Ｕの周縁には、上記第１及び第２起立周縁形成部５１，５２により形成された起立周縁部Ｋが上方に起立しており、該起立周縁部Ｋに帯状フィルムの両端部が熱融着されて一対の吊手部１１，１１が形成されている。
【００１６】
次に、本形態の包装用袋における上記シール部８，８・・について説明する。以下、上記シール部８，８・・について、第１側面部Ｓにおける上記シール部８，８を例に説明するが、第２側面部Ｓ’における上記シール部８，８についても、その形態、設けられる位置等について同様である。
第１側面部Ｓにおける一対の上記シール部８，８は、図５に示すように、上記サイドシール部７に対して対称の位置に対称の形態として設けられ、各シール部８，８それぞれは、第１側面部Ｓ上に、上記天面部Ｕの隅部Ｐ１，Ｐ２を結ぶ辺を底辺とし、頂角Ｔが直角の二等辺三角形状部を想定した場合に、該二等辺三角形状部の内側に、且つ該二等辺三角形の等辺に沿って設けられている。尚、上記二等辺三角形状部の頂部Ｐ３は、上記天面部Ｕの隅部Ｐ１，Ｐ２間の距離に対し１／２の高さとなる位置に存在し、その位置は、上記第２側面形成部４２の外側縁部と上記第３側面形成部４３の外側縁部との間に折り込まれた上記第１側面形成部４１の外側縁部の最下端の位置と一致している。
【００１７】
各シール部８，８の上記サイドシール部７側の端部８ａ，８ａは、該サイドシール部７から離れている。上記サイドシール部７側の端部８ａ，８ａと上記サイドシール部７との間の距離は、１〜２０ｍｍであり、２〜１０ｍｍであることが好ましい。この距離が、１ｍｍ未満、特に端部８ａとサイドシール部７が重なると、サイドシール部７のフィルムが薄くなり、そこから破断し易い。又、２０ｍｍを越えると引張り応力を受けるサイドシール部７の領域が増加してサイドシール部の剥離が生じ易い。
【００１８】
また、上記シール部８，８それぞれにおける上記端部８ａ，８ａから５〜５０ｍｍの部分８Ａ，８Ａは、徐々に該サイドシール部７に対して直角に近づく曲線とされている。上記曲線とされた部分が、５ｍｍ未満の長さであると、引張り応力の分散が局所的に起こり、しわが発生し易くなり、５０ｍｍを越えると引張り応力を受けるサイドシール部７の領域が増加し、サイドシール部の剥離が生じ易くなる。
【００１９】
また、各シール部８，８の上記サイドシール部７側の端部８ａ，８ａとは反対側の端部８ｂ，８ｂは、上記起立周縁形成部の側縁部同士のシールしてなる周縁シール部９から離れている。上記シール部８，８における上記曲線部以外は、該サイドシール部７に対し４５゜の角度で傾斜した直線部８Ｂ，８Ｂである。尚、図１には、第１側面部Ｓ及び第２側面部Ｓ’に形成されるシール部８，８・・を形成するシール位置を８として示してある。
【００２０】
本形態の包装用袋における上記天面部Ｕの隅部Ｐ１，Ｐ２間の距離、上記各シール部８の曲線部８Ａ及び直線部分８Ｂの長さ、該シール部８，８と上記二等辺三角形の等辺との間の距離を示すと以下の通りである。また、シール部８，８と上記等辺との間の距離については、併せて好ましい範囲を〔〕内に示した。
・隅部Ｐ１，Ｐ２間の距離Ｌ１（図５参照）；１５５ｍｍ。
・上記曲線部８Ａの長さ；１０ｍｍ。
・上記直線部８Ｂの長さ；６０ｍｍ。
・上記シール部８の直線部８Ｂと上記二等辺三角形の等辺１２間の距離Ｌ２（図５参照）；２ｍｍ〔１〜１０ｍｍ，特に１〜３ｍｍ〕。
【００２１】
本形態の包装用袋によれば、第１側面部Ｓ及び第２側面部におけるシール部８が、上記天面部Ｕの隅部Ｐ１，Ｐ２を結ぶ辺を底辺とし、頂角が直角の二等辺三角形状部の内側に、且つ該二等辺三角形の等辺に沿って設けられているため、側面部Ｓ，Ｓ’にひきつりを生じさせることなく、内部に充填した圧縮物品により側面部に加わる引張り力を分散させて該引張り力によるサイドシール部の剥離等を防止することができる。
【００２２】
また、本形態の包装用袋によれば、シール部８，８の上記サイドシール部７側の端部８ａ，８ａが該サイドシール部７から離れており、且つ該シール部８，８それぞれにおける上記端部８ａ，８ａから５〜５０ｍｍの部分が、徐々に該サイドシール部７に対して直角に近づく曲線とされているため、従来の包装用袋のようにシール部８とサイドシール部７とが重なってフィルムの一部が薄くなり、そこから破断するといったことが生じ難く、また、引張り応力によるサイドシール部の剥離も生じ難い。
【００２３】
以上、本発明を一実施形態の包装用袋により説明したが、本発明は、上述の実施形態に限定されず、本発明の趣旨を逸脱しない範囲において適宜変更可能である。例えば、本発明の包装用袋は、使い捨ておむつ用に限定されるものではなく、生理用ナプキン等他の圧縮物品用の包装用袋であっても良い。また、充填する圧縮物品の形態や充填する際の圧縮物品の整列の仕方等に応じて、各部の形態や寸法等は、適宜に決定することができる。
【００２４】
【発明の効果】
本発明によれば、側面部にひきつりが生じず、且つ引張り応力によるサイドシール部の剥離が生じ難い包装用袋を提供することができる。
【図面の簡単な説明】
【図１】図１は本発明の一実施形態である包装用袋を製造するためのシートを示す平面図である。
【図２】図２は本発明の一実施形態である包装用袋の製造途中における断面（シートの長手方向に沿う平面による断面）を一部省略して示す図である。
【図３】図３は、本発明の一実施形態である包装用袋を一部省略して示す正面図である。
【図４】図４は本発明の一実施形態である包装用袋を示す概略斜視図であある。
【図５】図５は図４の包装用袋の要部を示す側面図である。
【符号の説明】
１    天面形成部
２    正面形成部
３    背面形成部
４１  第１側面形成部
４２  第２側面形成部
４３  第３側面形成部
４４  第４側面形成部
４５  第５側面形成部
４６  第６側面形成部
５１  第１起立周縁形成部
５２  第２起立周縁形成部
６１  第１底面形成部
６２  第２底面形成部
７    サイドシール部
８    シール部
９    周縁シール部
１０  シート
１１  吊持部
１２  （二等辺三角形状部の）等辺
Ｕ    天面部
Ｓ    第１側面部
Ｓ’  第２側面部
Ｋ    起立周縁部
【図１】
0003953158.tif 000002
【図２】
0003953158.tif 000003
【図３】
0003953158.tif 000004
【図４】
0003953158.tif 000005
【図５】
0003953158.tif 000006